(57)【要約】【課題】  貯湯槽の貯湯を給湯に使用する際に給水と混合させて温調させるための混合手段に故障等に起因して異常が生じた場合でも、高温状態のままに下流側に出湯されてしまうという異常高温出湯の発生を確実に回避し得る貯湯式給湯装置を提供する。【解決手段】  混合弁７で、貯湯槽３から上流側出湯路５１に出湯した高温の湯に対し、第１バイパス路４４からの水を所定混合比で混合し、温調した上で下流側出湯路５２に出湯させる。下流側出湯路に対し、上流側から順に、流量調整弁５５、第２バイパス路８の合流点５７、出湯温度センサ５６、風呂注湯回路６の分岐点５８を配設する。出湯温度が上限出湯温度を超えると、コントローラ９により、流量調整弁をより小流量側に開度変更し、バイパス開閉弁８１を開放させる。【選択図】      図１
2010261618.tif 000002
【特許請求の範囲】
【請求項１】
所定の高温状態の湯水を貯留する貯湯槽と、この貯湯槽の頂部側に接続された上流側出湯路と、上記貯湯槽の底部側に接続された給水路と、この給水路の途中から分岐して上記上流側出湯路と合流する第１バイパス路と、この第１バイパス路と上記上流側出湯路との合流部に配設され上記第１バイパス路からの水と上記上流側出湯路からの湯とを混合比可変に混合させることにより所定温度に温調する混合手段と、この混合手段により温調された湯を下流側に出湯する下流側出湯路とを備えた貯湯式給湯装置であって、
上記混合手段の下流側位置の下流側出湯路に配設されて下流側への出湯流量を変更調整するための流量調整弁と、
上記給水路から分岐して上記流量調整弁よりも下流側位置の下流側出湯路に合流するように接続された第２バイパス路と、
この第２バイパス路の途中に介装され上記下流側出湯路に対する給水を開閉可能に切換えるバイパス開閉弁と、
上記第２バイパス路の下流側出湯路に対する合流点よりも下流側位置における出湯温度を検出する出湯温度センサと、
上記混合手段に異常事態が発生したことに起因して上記下流側出湯路を通しての異常高温出湯の発生を回避するための対応制御を実行する制御手段と
を備え、
上記制御手段は、上記出湯温度センサにより検出される出湯温度を監視し、出湯温度が予め設定された上限出湯温度を超える場合に、上記流量調整弁を通過する出湯流量がより小流量側に変更されるように切換作動制御するとともに、上記バイパス開閉弁を開切換作動制御するように構成されている
ことを特徴とする貯湯式給湯装置。
【請求項２】
所定の高温状態の湯水を貯留する貯湯槽と、この貯湯槽の頂部側に接続された上流側出湯路と、上記貯湯槽の底部側に接続された給水路と、この給水路の途中から分岐して上記上流側出湯路と合流する第１バイパス路と、この第１バイパス路と上記上流側出湯路との合流部に配設され上記第１バイパス路からの水と上記上流側出湯路からの湯とを混合比可変に混合させることにより所定温度に温調する混合手段と、この混合手段により温調された湯を下流側に出湯する下流側出湯路とを備えた貯湯式給湯装置であって、
上記混合手段の異変状態の発生を検知する故障発生検知手段と、
上記混合手段の下流側位置の下流側出湯路に配設されて下流側への出湯流量を変更調整するための流量調整弁と、
上記給水路から分岐して上記流量調整弁よりも下流側位置の下流側出湯路に合流するように接続された第２バイパス路と、
この第２バイパス路の途中に介装され上記下流側出湯路に対する給水を開閉可能に切換えるバイパス開閉弁と、
上記混合手段に異常事態が発生したことに起因して上記下流側出湯路を通しての異常高温出湯の発生を回避するための対応制御を実行する制御手段と
を備え、
上記制御手段は、上記故障発生検知手段により混合手段に故障発生が検知された場合に、上記流量調整弁を通過する出湯流量がより小流量側に変更されるように切換作動制御するとともに、上記バイパス開閉弁を開切換作動制御するように構成されている
ことを特徴とする貯湯式給湯装置。
【請求項３】
請求項１又は請求項２に記載の貯湯式給湯装置であって、
上記流量調整弁は閉止機能付き流量調整弁により構成され、上記制御手段による対応制御として流量調整弁を閉切換作動制御するように構成されている、貯湯式給湯装置。
【請求項４】
請求項１〜請求項３のいずれかに記載の貯湯式給湯路であって、
上記混合手段により温調された後の湯を風呂の浴槽に注湯するための風呂出湯回路が付設されており、この風呂注湯回路は上記出湯温度センサによる出湯温度の検出位置よりも下流側位置の下流側出湯路から分岐するように接続されている、貯湯式給湯装置。
【発明の詳細な説明】
【技術分野】
【０００１】
本発明は、ガスエンジンもしくは燃料電池等の冷却水排熱、ヒートポンプの冷媒が有する熱や、自然エネルギーの太陽熱等の外部熱源からの熱回収によって、あるいは、電気ヒータ等のエネルギー消費による加熱によって、所定の高温状態に貯湯した貯湯槽から湯をを取り出して水を混合させて温調した上で給湯するように構成された貯湯式給湯装置に関し、特に混合手段等の機器異常の発生に伴う異常高温出湯のおそれを確実に回避し得る技術に係る。
【背景技術】
【０００２】
従来、電気ヒータにより加熱される温水器において、温水器から出湯される湯と水とを混合して湯温を下げた上で蛇口から吐出させるようにし、その湯・水混合部よりも温水器側に対し給水分岐管を接続させてこの分岐給水管からの水で湯・水混合の前に予め湯温を下げておくようにすることが提案されている（例えば特許文献１参照）。つまり本来の湯・水混合よりも前の段階で途中段階まで湯温を下げておくことにより、湯・水混合部が故障して水を混合させることが不能に陥った場合であっても、温水器から高温のままで出湯することがないようにしている。
【０００３】
又、ヒートポンプの運転に伴い放熱される熱により加熱して貯湯する貯湯槽から高温の湯を取り出して混合弁において給水と混合することで適温まで温度を下げて給湯するヒートポンプ給湯機において、混合弁の下流側位置の出湯路に対し給水バイパス流路を接続するようにしたものが知られている（例えば特許文献２参照）。この給水バイパス路には常時は閉状態に維持されるバイパス開閉弁が介装され、混合弁が停電や故障発生により混水不能に陥った場合にバイパス開閉弁が開作動して給水バイパス流路からの給水を混合弁を素通りした高温の湯に混合するようにすることで、高温の湯がそのまま給湯される事態の発生を回避するようにしようとしている。
【先行技術文献】
【特許文献】
【０００４】
【特許文献１】特開２００３−２２２４０７号公報
【特許文献２】特開２００６−１２５６５５号公報
【発明の概要】
【発明が解決しようとする課題】
【０００５】
ところが、上記の従来の貯湯式給湯装置では混合弁の故障等に起因する高温出湯の発生を回避するという機能を十分に果たすことができず、依然として高温出湯のおそれは残っていると考えられる。
【０００６】
すなわち、図４に例示した特許文献２に記載の構造例において、停電や作動不良（故障）の発生に起因して混合弁７００が貯湯槽３００からの湯を出湯路５００に対し素通りさせて混水不能状態に陥ってしまった場合に、バイパス開閉弁８０１の開変換によって混合弁７００の下流側位置に対しバイパス路８００からの水が供給され、この水との混合によって出湯路５００の下流側に対し貯湯槽３００内の温度のままで出湯されてしまう事態を回避できる、というのが特許文献２で本来意図するところの理屈である。
【０００７】
しかしながら、混合弁７００は貯湯槽３００側が全開となって湯が素通り、つまり全ての湯が混合弁７００を通過して出湯路５００を流動することになる流動圧力は貯湯槽３００の底部に作用している元々の背圧である給水圧である一方、バイパス路８００から出湯路５００に供給される水の供給圧は主としてバイパス開閉弁８０１である電磁弁での圧力損失等に基づいて上記給水圧よりも水圧低下を生じたものとなる。このため、出湯路５００を流動する湯の側の流動圧力が勝ってバイパス路８００からの水の湯に対する混合が効果的に生ぜず、この結果、故障状態の混合弁７００を素通りした湯が殆どそのままの温度で下流側に出湯されてしまう、つまり高温出湯が生じてしまう、ということになる。
【０００８】
本発明は、このような事情に鑑みてなされたものであり、その目的とするところは、貯湯槽の貯湯を給湯に使用する際に給水と混合させて温調させるための混合手段に故障等に起因して異常が生じた場合でも、高温状態のままに下流側に出湯されてしまうという異常高温出湯の発生を確実に回避して、安全性をより十分に確保し得る貯湯式給湯装置を提供することにある。
【課題を解決するための手段】
【０００９】
上記目的を達成するために、第１の発明では、所定の高温状態の湯水を貯留する貯湯槽と、この貯湯槽の頂部側に接続された上流側出湯路と、上記貯湯槽の底部側に接続された給水路と、この給水路の途中から分岐して上記上流側出湯路と合流する第１バイパス路と、この第１バイパス路と上記上流側出湯路との合流部に配設され上記第１バイパス路からの水と上記上流側出湯路からの湯とを混合比可変に混合させることにより所定温度に温調する混合手段と、この混合手段により温調された湯を下流側に出湯する下流側出湯路とを備えた貯湯式給湯装置を対象にして、次の特定事項を備えるようにした。
【００１０】
すなわち、上記混合手段の下流側位置の下流側出湯路に配設されて下流側への出湯流量を変更調整するための流量調整弁と、上記給水路から分岐して上記流量調整弁よりも下流側位置の下流側出湯路に合流するように接続された第２バイパス路と、この第２バイパス路の途中に介装され上記下流側出湯路に対する給水を開閉可能に切換えるバイパス開閉弁と、上記第２バイパス路の下流側出湯路に対する合流点よりも下流側位置における出湯温度を検出する出湯温度センサと、上記混合手段に異常事態が発生したことに起因して上記下流側出湯路を通しての異常高温出湯の発生を回避するための対応制御を実行する制御手段とを備えることとする。そして、上記制御手段として、上記出湯温度センサにより検出される出湯温度を監視し、出湯温度が予め設定された上限出湯温度を超える場合に、上記流量調整弁を通過する出湯流量がより小流量側に変更されるように切換作動制御するとともに、上記バイパス開閉弁を開切換作動制御する構成とした（請求項１）。
【００１１】
本発明の場合、出湯温度センサにより検出される出湯温度が上限出湯温度を超えると、制御手段による異常高温出湯の発生を回避するための対応制御が実行され、流量調整弁がより小流量側に絞られるとともに、バイパス開閉弁が開切換作動されて給水路からの給水が第２バイパス路を通して下流側出湯路に合流可能となる。これにより、流量調整弁を通過した後の下流側出湯路における出湯流量がより小流量側に絞られるため、下流側出湯路に対する第２バイパス路からの給水の流入がよりスムースになる。このため、高温状態の湯が上流側出湯路から下流側出湯路に対し混合手段を素通り状態になるような異常が発生したとしても、より小流量に絞られた湯に対しより高い混合割合で第２バイパス路からの給水が混合されることになり、出湯温度が大幅に温度低下されることになる。この結果、下流側への異常高温出湯の発生を確実に回避することができるようになる。
【００１２】
又、第２の発明では、所定の高温状態の湯水を貯留する貯湯槽と、この貯湯槽の頂部側に接続された上流側出湯路と、上記貯湯槽の底部側に接続された給水路と、この給水路の途中から分岐して上記上流側出湯路と合流する第１バイパス路と、この第１バイパス路と上記上流側出湯路との合流部に配設され上記第１バイパス路からの水と上記上流側出湯路からの湯とを混合比可変に混合させることにより所定温度に温調する混合手段と、この混合手段により温調された湯を下流側に出湯する下流側出湯路とを備えた貯湯式給湯装置を対象にして、次の特定事項を備えるようにした。
【００１３】
すなわち、上記混合手段の異変状態の発生を検知する故障発生検知手段と、上記混合手段の下流側位置の下流側出湯路に配設されて下流側への出湯流量を変更調整するための流量調整弁と、上記給水路から分岐して上記流量調整弁よりも下流側位置の下流側出湯路に合流するように接続された第２バイパス路と、この第２バイパス路の途中に介装され上記下流側出湯路に対する給水を開閉可能に切換えるバイパス開閉弁と、上記混合手段に異常事態が発生したことに起因して上記下流側出湯路を通しての異常高温出湯の発生を回避するための対応制御を実行する制御手段とを備えることとする。そして、上記制御手段として、上記故障発生検知手段により混合手段に故障発生が検知された場合に、上記流量調整弁を通過する出湯流量がより小流量側に変更されるように切換作動制御するとともに、上記バイパス開閉弁を開切換作動制御する構成とした（請求項２）。
【００１４】
本発明の場合、故障発生検知手段により混合手段に故障発生が検知されると異常高温出湯の発生のおそれがあると判定して、制御手段による異常高温出湯の発生を回避するための対応制御が実行される。この対応制御によって、第１の発明と同様に、流量調整弁がより小流量側に絞られるとともに、バイパス開閉弁が開切換作動されて給水路からの給水が第２バイパス路を通して下流側出湯路に合流可能となる。これにより、流量調整弁を通過した後の下流側出湯路における出湯流量がより小流量側に絞られるため、下流側出湯路に対する第２バイパス路からの給水の流入がよりスムースになる。このため、高温状態の湯が上流側出湯路から下流側出湯路に対し混合手段を素通り状態になるような異常が発生したとしても、より小流量に絞られた湯に対しより高い混合割合で第２バイパス路からの給水が混合されることになり、出湯温度が大幅に温度低下されることになる。この結果、下流側への異常高温出湯の発生を確実に回避することができるようになる。
【００１５】
又、以上の発明の貯湯式給湯装置における流量調整弁として閉止機能付きの流量調整弁を用い、制御手段による対応制御として流量調整弁を閉切換作動制御することができる（請求項３）。この場合には、制御手段による対応制御により流量調整弁が閉切換作動され、混合手段の側から下流側出湯路に対する湯の流出が完全に遮断されることになる一方、下流側出湯路に対しては第２バイパス路からの給水が流入することになる。これにより、下流側への異常高温出湯の発生をより一層確実に回避することが可能となる。
【００１６】
さらに、上記発明の貯湯式給湯路に対し、上記混合手段により温調された後の湯を風呂の浴槽に注湯するための風呂出湯回路を付設し、この風呂注湯回路を上記出湯温度センサによる出湯温度の検出位置よりも下流側位置の下流側出湯路から分岐するように接続することができる（請求項４）。この場合、異常高温出湯の発生のおそれが検知されて制御手段により対応制御が行われると、給湯の場合のみならず、浴槽への注湯に対しても、異常高温出湯の発生を確実に回避することが可能となる。
【発明の効果】
【００１７】
以上、説明したように、請求項１，請求項３，請求項４のいずれかの貯湯式給湯装置によれば、出湯温度センサにより検出される出湯温度が上限出湯温度を超えて異常高温出湯の発生のおそれが検知されると、制御手段による異常高温出湯の発生を回避するための対応制御が実行され、これにより、流量調整弁を通過した後の下流側出湯路における出湯流量がより小流量側に絞られるため、下流側出湯路に対する第２バイパス路からの給水の流入をよりスムースに行うことができるようになる。このため、高温状態の湯が上流側出湯路から下流側出湯路に対し混合手段を素通り状態になるような異常が発生したとしても、より小流量に絞られた湯に対しより高い混合割合で第２バイパス路からの給水を混合させることができ、出湯温度を大幅に温度低下させることができるようになる。この結果、下流側への異常高温出湯の発生を確実に回避することができるようになる。
【００１８】
又、請求項２，請求項３，請求項４のいずれかの貯湯式給湯装置によれば、故障発生検知手段により混合手段に故障発生が検知されると異常高温出湯の発生のおそれがあると判定して、制御手段による異常高温出湯の発生を回避するための対応制御が実行されることになる。この対応制御によって、流量調整弁を通過した後の下流側出湯路における出湯流量がより小流量側に絞られるため、下流側出湯路に対する第２バイパス路からの給水の流入をよりスムースに行うことができるようになる。このため、高温状態の湯が上流側出湯路から下流側出湯路に対し混合手段を素通り状態になるような異常が発生したとしても、より小流量に絞られた湯に対しより高い混合割合で第２バイパス路からの給水を混合させることができ、出湯温度を大幅に温度低下させることができるようになる。この結果、下流側への異常高温出湯の発生を確実に回避することができるようになる。
【００１９】
特に、請求項３によれば、閉止機能付き流量調整弁を用いて制御手段による対応制御として閉切換作動制御することにより、混合手段の側から下流側出湯路に対する湯の流出を完全に遮断することができる一方、下流側出湯路に対して第２バイパス路からの給水を流入させることができるようになる。これにより、下流側への異常高温出湯の発生をより一層確実に回避することができるようになる。
【００２０】
又、請求項４によれば、風呂出湯回路に対しても注湯し得るように、出湯温度センサによる出湯温度の検出位置よりも下流側位置の下流側出湯路から分岐するように接続することにより、異常高温出湯の発生のおそれが検知されて制御手段により対応制御が行われた場合には、給湯の場合のみならず、浴槽への注湯に対しても、異常高温出湯の発生を確実に回避することができるようになる。
【図面の簡単な説明】
【００２１】
【図１】本発明の実施形態を示す模式図である。
【図２】コントローラの主として給湯制御及び異常高温対応制御を説明するためのブロック図である。
【図３】実施例と比較例とについて行った試験結果を示す表である。
【図４】発明が解決しようとする課題を導くために対比される貯湯式給湯装置の構造例を示す模式図である。
【発明を実施するための形態】
【００２２】
以下、本発明の実施形態を図面に基づいて説明する。
【００２３】
同図中の符号２は外部熱源としてのガスエンジン２１のエンジン冷却水の排熱を熱回収して貯湯槽３内の湯水との熱交換により貯湯として蓄熱するための熱回収回路、４は外部から水道水等を給水する給水回路、５は貯湯槽３から貯湯を出湯させて図示省略の給湯栓に給湯する出湯回路、６は出湯回路５の下流側位置から分岐して風呂の浴槽に注湯する風呂注湯回路、７は上記貯湯槽３からの湯と後述の第１バイパス路４４からの水とを所定混合比で混合する混合手段としての混合弁、８は給水回路４から分岐され貯湯槽３をバイパスして出湯回路５に給水する第２バイパス路、９はこの貯湯式給湯装置の作動制御を行うコントローラである。
【００２４】
熱回収回路２は、図示省略の循環ポンプの作動により、ガスエンジン２１の内部のエンジン冷却水を熱源熱媒として熱媒循環路２２を通してガスエンジン２１と貯湯槽３内の熱回収用の熱交換器（例えばコイル型熱交換器）２３との間で循環させるように構成されたものである。貯湯槽３は密閉タイプの容器により構成され、熱回収回路２の作動により内部の湯水が熱交換器２３により熱交換加熱されて所定の高温状態で貯湯されるようになっている。
【００２５】
給水回路４は、主給水路４１の上流端が外部の水道管等に接続され、下流端が貯湯槽３の底部３１に接続されている。主給水路４１の上流側には水道供給元圧を所定の減圧状態にするするための減圧手段としての減圧弁４２が介装され、下流側の分岐点４３においては貯湯槽３をバイパスして上記混合弁７の導水側に給水するための第１バイパス路４４の上流端が分岐され、分岐点４３よりも上流側の分岐点４５においては上記第２バイパス路８の上流端が分岐されている。又、主給水路４１の適所には給水温度を検出してコントローラ９に出力する給水温度センサ４６が配設されている。
【００２６】
出湯回路５は、貯湯槽３の頂部３２から高温状態の貯湯を出湯させて混合弁７の導湯側に導く上流側出湯路５１と、混合弁７で混合後に導出された湯を給湯栓に向けて出湯させる下流側出湯路５２とを備えている。上流側出湯路５１には貯湯槽３の頂部３２から取り出された直後の湯の温度を検出してコントローラ９に出力する貯湯温度センサ５３が介装され、下流側出湯路５２には通過する流量を検出してコントローラ９に出力する流量センサ５４と、出湯流量を変更調整する流量調整弁５５と、給湯栓又は風呂注湯回路６に出湯される湯の温度を検出してコントローラ出力する出湯温度センサ５６とが介装されている。上記の流量調整弁５５は、主として過流出防止弁としての役割を果たす他、後述の如く異常高温対応制御においても異常高温対応のための役割をも果たすようになっている。
【００２７】
風呂注湯回路６は上記出湯温度センサ５６よりも下流側位置の分岐点５８から上流端が分岐され、下流端が風呂の浴槽に接続されている。そして、風呂注湯回路６は、その下流側出湯路５２の側の位置に介装された注湯弁６１がコントローラ９により開閉作動制御されて、浴槽に対する注湯の開始・終了という注湯制御が行われるようになっている。
【００２８】
混合弁７は、上流側出湯路５１を通して貯湯槽３の頂部３２から取り出された湯と、第１バイパス路４４から給水される水と所定の混合比（０〜１００％：１００〜０％）で混合することにより所定の温度（例えば設定給湯温度）に温調した上で、下流側出湯路５２に流し得るようになっている。
【００２９】
第２バイパス路８はその上流端が分岐点４５において主給水路４１から分岐し、下流端が合流点５７において下流側出湯路５２の流量調整弁５５と出湯温度センサ５６との間の位置に合流するようになっている。つまり、第２バイパス路８は、流量調整弁５５の下流側の位置であって、風呂注湯回路６への分岐点５８よりも上流側の位置に合流するようになっている。この第２バイパス路８は、途中に介装されたバイパス開閉弁８１により通常時は遮断された状態（閉止状態）にされる一方、後述の如くコントローラ９により異常発生と判定されると開変換されて主給水路４１からの水を下流側出湯路５２の合流点５７に対し給水するようになっている。
【００３０】
以上の貯湯式給湯装置の運転作動は、リモコン９１からの入力設定信号や操作信号の出力や、種々の温度センサ４６，５３，５６等からの検出信号の出力を受けて、コントローラ９により作動制御されるようになっている。コントローラ９は、そのような作動制御のために、給湯制御部９２（図２参照）や図示省略の熱回収制御部等の種々の制御部に加え、異常高温対応制御部９３を備えている。
【００３１】
以下、給湯制御部９２による給湯制御について簡単に説明した上で、本実施形態の特徴的な異常高温対応制御部９３による異常高温対応制御について説明する。
【００３２】
貯湯槽３には熱回収制御部による熱回収制御によって比較的高温（例えば７５℃）に加熱された湯が貯留されている。すなわち、熱回収回路２が作動制御されてエンジン冷却水からの排熱回収により貯湯として貯湯槽３内に蓄熱されている。
【００３３】
給湯制御部９２による給湯制御は次のようにして行われる。すなわち、給湯栓がユーザにより開操作されると給水回路４の主給水路４１から貯湯槽３の底部３１に給水され、この給水により貯湯槽３内の貯湯が頂部３２から押し出されて上流側出湯路５１を通して混合弁７に出湯されることになる。そして、貯湯温度センサ５３からの貯湯温度及び給水温度センサ４６からの給水温度等の検出値に基づいて混合弁７での混合比が設定され、混合弁７において第１バイパス路４４からの給水との混合によりリモコン９１に設定された設定給湯温度に温調された上で、下流側出湯路５２に出湯され下流端の給湯栓まで給湯されることになる。なお、上記混合比については出湯温度センサ５６からの出湯温度に基づいてフィードバック制御すればよい。
【００３４】
異常高温対応制御部９３による異常高温対応制御とは、混合弁７の機器故障等の何らかの異常発生に起因して、上限出湯温度を超える異常高温の湯が給湯栓の側にそのまま流れる事態の発生を回避するための対応制御のことである。上記の予め設定される上限出湯温度とは、給湯栓側に対して出湯させるには異常高温出湯になるとして想定される温度値から所定の安全率を見込んだ温度値分（例えば数度分）を差し引いて予め設定した温度値のことである。又、この上限出湯温度を予め設定するとは、貯湯式給湯装置に対し固定値として予め設定しておいたり、供用開始前の設置時に設定したり、又、供用開始後の例えばメンテナンス時にそれまでに設定されていた温度値を変更設定したりすることをいう。
【００３５】
具体的には、異常高温対応制御部９３では、出湯温度センサから出力される出湯温度を監視し、この出湯温度が上記上限出湯温度以上に変化したことを検知すれば、異常高温出湯の発生のおそれがあると判定し、次の対応制御を実行する。すなわち、流量調整弁５５に対し閉側（小開度側又は最小開度）への切換指令を発して湯の通過流量をより小流量側に絞るように変更すると同時に、バイパス開閉弁８１を開作動させて第２バイパス路８を通して主給水路４１からの水を合流点５７の下流側出湯路５２に給水させる。これにより、異常発生した混合弁７を通して下流側出湯路５２に流出する湯の流量が絞られる一方、その下流側出湯路５２には第２バイパス路８を通して給水が流入するため、たとえ貯湯槽３の頂部３２から上流側出湯路５１に出湯された湯がかなり高温状態であったとしても、合流点５７に流入する給水の混合により大幅に温度低下させることができ、異常高温出湯の発生のおそれを確実に回避することができるようになる。つまり、混合弁７において最悪の故障条件であるところの導湯側が全開状態で固着してしまうような故障が発生したとしても、上記の如く流量調整弁５５により通過流量が絞られる上に、第２バイパス路８からの給水が混合されるため、下流側出湯路５２に対する第２バイパス路８からの給水の流入をよりスムースに行うことができるようになる。このため、流量調整弁５５でより小流量に絞られた湯に対し、より高い混合割合で第２バイパス路からの給水を混合させることができ、出湯温度を大幅に温度低下させることができるようになる。この結果、異常高温出湯の発生を確実に回避することができるようになる。
【００３６】
さらに、第２バイパス路８の合流点５７が風呂注湯回路６の分岐点５８の上流側位置に設定されているため、異常高温出湯の発生のおそれが検知された場合には、給湯のみならず、注湯に対しても、異常高温出湯の発生を確実に回避することができるようになる。
【００３７】
＜他の実施形態＞
なお、本発明は上記実施形態に限定されるものではなく、その他種々の実施形態を包含するものである。すなわち、上記実施形態では貯湯槽３に貯湯して蓄熱する熱回収の対象である外部熱源をガスエンジン（エンジン冷却水排熱）にした場合を示したが、これに限らず、外部熱源として、太陽熱（太陽熱集熱）、燃料電池（冷却水排熱）、あるいは、ヒートポンプ（冷媒の排熱）を用いて、貯湯にして蓄熱するようにしてもよく、このような場合においても本発明を適用することができる。
【００３８】
又、熱回収回路２による蓄熱を、貯湯槽３の内部に設置した熱交換器２３で貯湯と熱交換させることによって行うようにしているが、これに限らず、例えば貯湯槽３の貯湯（湯水）を底部から導出して頂部に戻す蓄熱循環路を設置し、この蓄熱循環路の途中において熱回収回路により熱回収した熱源熱媒と液−液熱交換を行うことにより蓄熱させるようにしてもよい。
【００３９】
さらに、上記実施形態では、排熱回収又は熱回収により貯湯槽３に対し貯湯として蓄熱するものを示したが、これに限らず、例えば電気ヒータ等のエネルギー消費を伴う加熱手段により予め加熱して所定の高温状態にして貯留しておく貯湯槽を対象にして本発明を適用してもよい。この場合も上記実施形態と同様に異常高温出湯の発生のおそれを確実に回避することができる。
【００４０】
上記実施形態では、異常高温発生のおそれの検知として、出湯温度センサからの出湯温度が上限出湯温度以上であることにより検知するようにしているが、これに限らず、例えば混合弁７の導湯側の開度を変更調整するモータ（駆動部）がコントローラ９から混合比変更のために開度変更指令信号を出力したにも拘わらず全開位置で固着してしまっているという異変状態の発生を、そのモータの駆動位置に係るリミッタ（故障発生検知手段）からの検知信号を受けて検知し、この検知により異常高温出湯の発生のおそれの検知を行うようにしてもよい。つまり、混合弁７の故障発生を上記のリミッタにより直接に検知し、故障発生を検知すれば、異常高温発生のおそれの検知として扱うのである。
【００４１】
上記実施形態における流量調整弁５５として閉止機能付きのものを用いるようにしてもよい。閉止機能付きの流量調整弁を用いた場合には、異常高温対応制御部９３では異常高温発生のおそれを検知したとき、流量調整弁に対し全閉切換作動指令を出力する。これにより、下流側出湯路５２における混合弁７の側からの湯の流出が完全に遮断される一方、給湯栓に対しては合流点５７に対し第２バイパス路８から流入される給水がそのまま供給されることになる。
【実施例】
【００４２】
上記の実施形態で説明した図１の貯湯式給湯装置（但し、流量調整弁５５は閉止機能付き）を用いた実施例と、図４の従来構造の貯湯式給湯装置を用いた比較例とについて、混合弁７，７００をそれぞれ導湯側が全開状態に、導水側が全閉状態になってしまったという仮想の故障状態に設定して、下流側に流れる出湯温度（出湯温度センサ５６，５０１による検出温度）がどのようになったかを比較試験した。
【００４３】
実施例の場合には、上記実施形態で説明した異常高温対応制御、すなわち、流量調整弁５５を閉切換作動し、バイパス開閉弁８１を開切換作動するという対応制御を実行させた。これに対し、比較例の場合には、バイパス開閉弁８０１を開切換作動した。
【００４４】
前提条件としては、貯湯槽３，３００内に貯湯温度７５℃の湯を貯留し、給水温度を５℃、２０℃、３０℃の３通りとした。この３通りの場合の出湯温度についての試験結果を図３に示す。
【００４５】
これによると、比較例の場合には、バイパス路８００から給水を合流させてはいるものの、貯湯時の温度７５℃の湯の温度は、給水温度が最も低い５℃の水を混合させた場合であっても出湯温度は４８℃までしか温度低下せず、以下、給水温度が２０℃の場合では出湯温度は５３℃、給水温度が３０℃の場合では出湯温度は５８℃という結果に終わった。つまり、バイパス路８のバイパス開閉弁８０１を開状態にしたとしても、出湯路において貯湯槽からの出湯が勝ってしまい出湯の湯と給水の水との混合が効果的に行われず、このため、混合後であっても単純混合させた場合よりも高い温度までしか低下させ得なかったものと考えられる。
【００４６】
これに対し、実施例の場合には、給水温度が５℃の場合では出湯温度は５℃、給水温度が２０℃の場合では出湯温度は２０℃、給水温度が３０℃の場合では出湯温度は３０℃となり、出湯されるのはバイパス路８から給水される水に置き換わったことが分かる。これは流量調整弁５５で下流側出湯路５２を遮断状態に切換えた結果であるが、たとえ閉切換作動させずに通過流量を小開度側に絞っただけの切換作動にしたとしても、出湯路に流出される湯の流量が絞られるため、バイパス路８からの給水が抵抗少なくよりスムースに混合される結果、出湯温度は給水温度に近い温度まで大幅に低下すると考えられる。これにより、上記の比較例の場合と比較しても、実施例の場合には異常高温出湯の回避効果は大幅に改善されることになる。
【符号の説明】
【００４７】
３      貯湯槽
６      風呂注湯回路
７      混合弁（混合手段）
８      第２バイパス路
９      コントローラ
４１    主給水路（給水路）
４３    第１バイパス路の分岐点
４４    第１バイパス路
４５    第２バイパス路の分岐点
５１    上流側出湯路
５２    下流側出湯路
５５    流量調整弁
５６    出湯温度センサ
５７    第２バイパス路の合流点
５８    風呂注湯回路の分岐点
８１    バイパス開閉弁
９３    異常高温対応制御部（制御手段）
【図１】
2010261618.tif 000003
【図２】
2010261618.tif 000004
【図３】
2010261618.tif 000005
【図４】
2010261618.tif 000006